(57)【特許請求の範囲】
【請求項１】
ナイフロータと、このナイフロータの外周面に対して一対の第１及び第２ナイフホルダーを介してスパイラル状に取り付けるナイフと、前記ナイフロータに対向するプレーンロータを備え、前記ナイフと前記プレーンロータとの間でシート状の被切断物を裁断するロータリーカッター装置において、前記第１ナイフホルダーには、ボルト挿通孔とナイフロータの外周面に形成した嵌合溝に嵌合可能な位置決め突起が設けられ、前記位置決め突起を前記嵌合溝に嵌合させると共に、前記ボルト挿通孔に挿通したボルトをナイフロータの外周面に設けられた第１ボルト孔に螺締して、前記第１ナイフホルダーを前記ナイフロータの外周面上に固定し、また第２ナイフホルダーには、位置調整用ブッシュに設けた偏芯部の挿通孔を設けて、この挿通孔に前記偏芯部を介して位置調整用ブッシュを装着すると共に、この位置調整用ブッシュの貫通孔に挿通したボルトを、ナイフロータの外周面に設けられた第２ボルト孔に螺締して、前記第２ナイフホルダーを前記ナイフロータの外周面上に組み付け、前記位置調整用ブッシュの角回転操作により、前記偏芯部を介して前記第２ナイフホルダーを前記第１ナイフホルダーに対して近接乃至離間方向に移動可能としていることを特徴とするロータリーカッター装置。
【請求項２】
ナイフロータにおける前記第2ボルト孔の開口部位には、位置調整用ブッシュの先端部が回転可能に嵌る嵌合孔が設けられていることを特徴とする請求項１に記載のロータリーカッター装置。
【請求項３】
第１ナイフホルダーと第２ナイフホルダーの少なくとも一方には、プレーンロータの外周面に弾接してプレーンロータの外周面とで裁断する被裁断物を押さえるための押さえ部材が設けられていることを特徴とする請求項１または２に記載のロータリーカッター装置。
【請求項４】
第１ナイフホルダーには、前記ナイフをこの第1ナイフホルダーに固着させるための磁石が設けられていることを特徴とする請求項１、２または３に記載のロータリーカッター装置。
【発明の詳細な説明】
【技術分野】
【０００１】
本発明は、ナイフロータに組み付けたナイフと、このナイフロータに対向するプレーンロータとにより、紙などの被切断物を裁断するようにしたロータリーカッター装置に関する。
【背景技術】
【０００２】
一般にこの種のロータリーカッター装置は、ナイフロータと、このナイフロータの外周面に対して一対の第１及び第２ナイフホルダーを介してスパイラル状に取り付けたナイフと、前記ナイフロータに対向するプレーンロータを備え、前記ナイフと前記プレーンロータとで被切断物を裁断するようにしている。
【０００３】
ところで以上のロータリーカッター装置では、ナイフロータに対するナイフの取り付け位置を調整するために、ナイフホルダーには、ナイフロータの外周面に固定する固定壁部が設けられて、この固定壁部には、ボルトを挿通するためのボルト挿通孔が設けられ、このボルト挿通孔に挿通したボルトをナイフロータの外周面に設けられたボルト孔に螺締して、ナイフホルダーを前記ナイフロータの外周面上に対向状に固定し、これらナイフホルダー間に前記ナイフを介装して、ナイフの一端をナイフロータの外周面に当接させると共に、固定壁部に設けたボルト挿通孔の内径を、ボルトの軸の外径よりも大きくして、ナイフホルダーを、ボルトを介してナイフロータに対して位置変更可能として、ナイフロータに対するナイフホルダーの固定位置を調整可能とする第１調整機構を設けると共に、ナイフホルダーに対するナイフの取り付け位置を調整可能とする第２調整機構をも設けている。
（特許文献１参照）
そして以上のロータリーカッター装置において、ナイフをナイフロータに取り付けるには、先ず第１ナイフホルダーにおける固定壁部のボルト挿通孔に挿通したボルトをボルト孔に螺締すると共に、第１ナイフホルダーのナイフロータに対する設置位置を任意調整した上で、第１ナイフホルダーをナイフロータの外周面にスパイラル状に固定して、ナイフの一端をナイフロータの外周面に当接させる。
【０００４】
そしてもう一方の第２ナイフホルダーにおける固定壁部のボルト挿通孔に挿通したボルトをボルト孔に螺締すると共に、第２ナイフホルダーのナイフロータに対する設置位置を任意調整した上で、この第２ナイフホルダーをナイフロータの外周面にスパイラル状に固定し、両ナイフホルダーの縦壁部間にナイフを介装する。
【０００５】
続いて、第２調整機構を構成するネジ体を適宜螺締して、このネジ体の先端でナイフの側面を第２ナイフホルダー側に押圧することで、ナイフのナイフホルダーに対する位置を微調整して、ナイフをナイフロータの外周面の所望位置にスパイラル状に組付けるのである。
【０００６】
ところで以上のロータリーカッター装置では、ナイフの組み付けに際して、第１調整機構による第１ナイフホルダー及び第２ナイフホルダーのナイフロータに対する取り付け位置の調整作業に加えて第２調整機構による調整作業をも行わねばならず、全体として調整作業に手間を要するし、調整が困難である。
【特許文献１】特開平１１−１２３６９４号
【発明の開示】
【発明が解決しようとする課題】
【０００７】
本発明は、以上の実情に鑑みて開発したものであって、目的とするところは、ナイフロータに対するナイフの取り付け位置の調整が簡単且つ容易に行えるロータリーカッター装置を提供する点にある。
【課題を解決するための手段】
【０００８】
以上の目的を達成するために、請求項１に記載の発明は、ナイフロータと、このナイフロータの外周面に対して一対の第１及び第２ナイフホルダーを介してスパイラル状に取り付けるナイフと、前記ナイフロータに対向するプレーンロータを備え、前記ナイフと前記プレーンロータとの間でシート状の被切断物を裁断するロータリーカッター装置において、前記第１ナイフホルダーには、ボルト挿通孔とナイフロータの外周面に形成した嵌合溝に嵌合可能な位置決め突起が設けられ、前記位置決め突起を前記嵌合溝に嵌合させると共に、前記ボルト挿通孔に挿通したボルトをナイフロータの外周面に設けられた第１ボルト孔に螺締して、前記第１ナイフホルダーを前記ナイフロータの外周面上に固定し、また第２ナイフホルダーには、位置調整用ブッシュに設けた偏芯部の挿通孔を設けて、この挿通孔に前記偏芯部を介して位置調整用ブッシュを装着すると共に、この位置調整用ブッシュの貫通孔に挿通したボルトを、ナイフロータの外周面に設けられた第２ボルト孔に螺締して、前記第２ナイフホルダーを前記ナイフロータの外周面上に組み付けて、前記位置調整用ブッシュの角回転操作により、前記偏芯部を介して前記第２ナイフホルダーを前記第１ナイフホルダーに対して近接乃至離間方向に移動可能としていることを特徴とする。
【０００９】
請求項２に記載の発明は、請求項１に記載のロータリーカッター装置において、ナイフロータにおける前記第2ボルト孔の開口部位には、位置調整用ブッシュの先端部が回転可能に嵌る嵌合孔が設けられていることを特徴とする。
【００１０】
請求項３に記載の発明は、請求項１または２に記載のロータリーカッター装置において、第１ナイフホルダーと第２ナイフホルダーの少なくとも一方には、プレーンロータの外周面に弾接してプレーンロータの外周面とで裁断する被裁断物を押さえるための押さえ部材が設けられていることを特徴とする。
【００１１】
請求項４に記載の発明は、請求項１、２または３に記載のロータリーカッター装置において、第１ナイフホルダーには、前記ナイフをこの第1ナイフホルダーに固着させるための磁石が設けられていることを特徴とする。
【発明の効果】
【００１２】
請求項１に記載の発明によれば、位置調整用ブッシュの角回転操作により、ナイフロータに対するナイフの取り付け位置の調整が簡単且つ容易に行える。
【００１３】
請求項２に記載の発明によれば、請求項１に記載の発明の効果に加え、位置調整用ブッシュがガタつくことなくスムーズに回転する。
【００１４】
請求項３に記載の発明によれば、請求項１、２または３に記載の発明の効果に加え、被切断物の切断時に、被切断物がプレーンロータと押さえ部材とで弾性的に保持されるので、ナイフによる被切断物の切断が確実に行なわれる。
【００１５】
請求項４に記載の発明によれば、請求項１、２または３に記載の発明の効果に加え、磁石によりナイフを第１ナイフホルダーに固着することで、ナイフロータに対するナイフの装着がより一層簡単且つ確実に行える。
【発明を実施するための最良の形態】
【００１６】
以下、本発明にかかるロータリーカッター装置一実施形態を説明する。
図１は本発明のロータリーカッター装置を用いた紙裁断機の概略説明図、図２は、ロータリーカッター装置におけるナイフロータの要部の平面図、図３は、ロータリーカッター装置におけるナイフロータの要部の拡大断面図、図４は、ナイフロータの一部を省略して示す概略平面図、図５は、位置調整用ブッシュの斜視図である。
【００１７】
図１において概略的に示す紙裁断機は、基本的には、連続紙を一定速度で引き出すピンチロール装置１と、連続紙Ｐの幅を切り揃えるスリッター装置２と、連続紙Ｐを引き揃えるフィードロール装置３と、本発明のロータリーカッター装置４から構成され、抄紙機（図示せず）から送り出されて来る連続紙Ｐを、ピンチロール装置１により引き出してスリッター装置２に送り込むと共に、このスリッター装置２により搬送方向に裁断された連続紙Ｐを、フィードロール装置３により引き揃えてロータリーカッター装置４に送り込み、ロータリーカッター装置４により所定の長さに裁断するようにしている。
【００１８】
本発明にかかるロータリーカッター装置４は、ナイフ５を取り付けたナイフロータ６と、このナイフロータ６に対向するプレーンロータ７が備えられ、これらナイフロータ６及びプレーンロータ７を駆動装置（図示せず）により回転させて、フィードロール装置３から送り込まれてくる連続紙Ｐを、ナイフ５とプレーンロータ７により裁断するようにしている。
【００１９】
そして以上のロータリーカッター装置４において、ナイフロータ６にナイフ５を取り付けるのに、一対の第１及び第２ナイフホルダー８ａ・８ｂを別途形成して、これら一対の第１及び第２ナイフホルダー８ａ・８ｂを、ナイフロータ６の外周面上に対向状に固定して、これらナイフホルダー８ａ・８ｂ間にナイフ５を介装するようにしている。
【００２０】
第１ナイフホルダー８ａ及び第２ナイフホルダー８ｂは、ナイフロータ６の長手方向全長にわたって延びており、基本的にはナイフロータ６の外周面上に固定される固定壁部８１ａ・８１ｂと、この固定壁部８１ａ・８１ｂの幅方向一端から立設する縦壁部８２ａ・８２ｂから断面略Ｌ字状に構成されている。
【００２１】
そして第１ナイフホルダー８ａにおける固定壁部８１ａの下面には、位置決め突起８３が固定壁部８１ａの長さ方向全長に渡って形成され、また第１ナイフホルダー８ａの固定壁部８１ａには、複数のボルト挿通孔８４が開設されている。
【００２２】
また第１ナイフホルダー８ａにおける縦壁部８２ａの側面には、この縦壁部８２の全長にわたって延びる凹溝８５を形成すると共に、この凹溝８５に磁石８６を組み込んで、第１及び第２ナイフホルダー８ａ・８ｂ間に介装するナイフ５を前記磁石８６に吸着させて、ナイフ５を第１ナイフホルダー８ａに固着させている。
【００２３】
また、第２ナイフホルダー８ｂの固定壁部８１ｂは、後記する位置調整用ブッシュ９の偏芯部９５が挿通可能な挿通孔８７が設けられている。
【００２４】
またナイフホルダー８ａ・８ｂのナイフロータ６への固定時に固定壁部８１ａ・８１ｂの下面がナイフロータ６の外周面に沿うようにするために、両ナイフホルダー８ａ・８ｂの固定壁部８１ａ・８１ｂにおける隣接するボルト挿通孔８４・８７の間にスリット８８ａ・８８ｂが形成されて、固定壁部８１ａ・８１ｂにおけるスリット８８ａ・８８ｂをはさんで隣接する部位が互いに曲がるようにしている。
【００２５】
また第１ナイフホルダー８ａにおける縦壁部８２ａの上面には、プレーンロータ７の外周面に弾接してプレーンロータ７の外周面とで裁断する紙を押さえるための押さえ部材８９が設けられている。この押さえ部材８９は、弾性変形可能な材料、実施形態ではスポンジ材料から形成されている。
【００２６】
ナイフロータ６には、第１ナイフホルダー８ａの固定壁部８１ａの下面に突設した位置決め突起８３が嵌合可能な嵌合溝６１と、第１ナイフホルダー８ａをボルト止めするための複数の第１ボルト孔６２と、第２ナイフホルダー８ｂをボルト止めするための複数の第２ボルト孔６３が、それぞれナイフロータ６の長手方向に沿って形成されている。
【００２７】
即ち、図に示す実施形態では、図４に概略的に示すように、第１、第２ナイフホルダー８ａ・８ｂ及びナイフ５がナイフロータ６の外周面に平面視スパイラル状に設置されるように、嵌合溝６１がナイフロータ６の軸芯線Ｌに対して平面視周方向に若干振れた弓なりとなるように形成されている。
【００２８】
また同じく第１、第２ナイフホルダー８ａ・８ｂ及びナイフ５がナイフロータ６の外周面に平面視スパイラル状に設置されるように、第１ボルト孔６２及び第２ボルト孔６３も、それぞれ各ボルト孔６１・６２の中心を結ぶ軌跡がナイフロータ６の軸芯線Ｌに対して平面視周方向に若干振れた弓なりとなるように設けられている。
【００２９】
また第2ボルト孔６３の入口部分には、このボルト穴６３の内径よりも一回り大きな内径とした円形の嵌合孔６４が設けられている。
【００３０】
一方、位置調整用ブッシュ９には、その軸芯に、ボルト１０の螺子軸部１１が挿通可能な貫通孔９１及びこの貫通孔９１の一端側に位置してボルト１０の頭部１２が嵌る頭部嵌合孔９２が設けられている。
【００３１】
また位置調整用ブッシュ９における前記頭部嵌合孔９２の外周りには、外形が平面から見て正方形に形成された回転操作部９３が設けられている。
【００３２】
また位置調整用ブッシュ９の外周で且つ回転操作部９３の下方には、径方向外方に突出する円形の鍔部９４を挟んで、貫通孔９１の中心軸線に対して径方向に約１ｍｍ偏芯している円筒状の偏芯部９５と、貫通孔の中心軸線に対して同軸状とした円筒状の嵌合部９６が設けられている。
【００３３】
尚、ボルト１０の頭部１２は円柱状に形成され、その上面側には、六角レンチが嵌合可能な六角穴１３が設けられている。
【００３４】
また図に示す実施形態では、第１ナイフホルダー８ａの固定壁部８１ａに形成するボルト挿通孔８４の内径を、ボルト１０のねじ軸部１１の外径よりも若干大きく形成して、
第1ナイフホルダー８ａのボルト止め時にナイフロータに対する第１ナイフホルダー８ａの固定位置を若干調整できるようにしている。
【００３５】
以上の構造からなるロータリーカッター装置４のナイフロータ６にナイフ５を取り付けるには、第１ナイフホルダー８ａをナイフロータ６の外周面にセットして、第１ナイフホルダーに設けた位置決め突起８０を、ナイフロータ６に設けた嵌合溝６１に嵌めるとともに、位置決め突起８０の外側面を嵌合溝６１の内側面に当接させる。
【００３６】
続いてボルト１０を第１ナイフホルダー８ａのボルト挿通孔８４に挿通して、ボルト１０の螺子軸部１１を、ナイフロータ６に設けた第１ボルト孔６２に螺締することで、第１ナイフホルダー８ａをナイフロータ６の外周面にスパイラル状に固定する。
【００３７】
次に第２ナイフホルダー８ｂをナイフロータ６の外周面にセットして、位置調整用ブッシュ９の偏芯部９５を第２ナイフホルダー８ｂの挿通孔８７に挿通すると共に、位置調整用ブッシュ９の嵌合部９６をナイフロータ６に設けた嵌合孔６４に嵌め込む。
【００３８】
そしてボルト１０の螺子軸部１１を位置調整ブッシュ９の貫通孔９１に挿通して、その挿通端部をナイフロータ６に設けた第２ボルト孔６３に螺締することで、第２ナイフホルダー８ｂをナイフロータ６の外周面にスパイラル状に固定する。
【００３９】
続いてナイフ５を両ナイフホルダー８ａ・８ｂの縦壁部８２ａ・８２ｂ間に介装して、第１ナイフホルダー８ａの縦壁部８２ａの側面に組付けている磁石８６にナイフ５を吸着させるとともに、該ナイフ５の下端をナイフロータ６の外周面に当接させる。
【００４０】
そして以上のようにセットされたナイフ５の取り付け位置乃至第２ナイフホルダー８ｂ    の取り付け位置を更に微調整したい場合には、位置調整用ブッシュ９をボルト１０に対して角回転させればよいのであって、位置調整用ブッシュの角回転に伴い、偏芯部９５を介して第２ナイフホルダー８ｂが第１ナイフホルダー８ａに対して近接乃至離間する方向にわずかに移動して、第２ナイフホルダー８ｂやナイフ５のナイフロータ６に対する設置位置が微調整される。
【００４１】
斯くして以上の実施形態では、位置調整用ブッシュ９の角回転操作により、ナイフロータ６に対する第２ナイフホルダー８ａ・８ｂの固定位置、更にはナイフロータ６に対するナイフ５の設置位置を微調整することが出来、ナイフ５のスパイラル角度の微調整等が簡単且つ容易に行える。
【００４２】
また以上のロータリーカッター装置４により、例えば紙を切断する際、紙がプレーンロータ７と押さえ部材８９とで弾性的に保持されることから、ナイフ５による紙の切断が確実に行なわれる。
【図面の簡単な説明】
【００４３】
【図１】ロータリーカッター装置を備えた紙裁断機の概略説明図。
【図２】ロータリーカッター装置におけるナイフロータの要部の平面図。
【図３】ロータリーカッター装置におけるナイフロータの要部の拡大断面図。
【図４】ナイフロータの一部を省略して示す概略平面図。
【図５】位置調整用ブッシュの斜視図。
【符号の説明】
【００４４】
１０  ボルト
４    ロータリーカッター装置
５    ナイフ
６    ナイフロータ
６１  嵌合溝
６２  第１ボルト孔
６３  第２ボルト孔
７    プレーンロータ
８ａ  第１ナイフホルダー
８ｂ  第２ナイフホルダー
８３  位置決め突起
９    位置調整用ブッシュ
９５  偏芯部
９６  嵌合部
【図１】
0004452749.tif 000002
【図２】
0004452749.tif 000003
【図３】
0004452749.tif 000004
【図４】
0004452749.tif 000005
【図５】
0004452749.tif 000006